(57)【要約】【課題】書類作成時の利用者の負担が軽減されるとともに、旅券番号やパスポートに記載の個人情報などを転記する際の記載間違いを防止することができる。【解決手段】出国あるいは入国を予定している国に提出すべき書類を印刷する出入国書類印刷装置１００，１０１であって、パスポートおよび航空券の少なくとも一方から、前記書類に記載すべき個人情報を取得する個人情報取得部１１０，３１０と、前記書類の書式情報を記憶する書式情報記憶部１２０，３２０と、前記個人情報および前記書式情報に基づいて、前記書類における個人情報記入欄に前記個人情報が記入された印刷データを生成する印刷データ生成部１３０，３３０と、前記印刷データに基づいて、前記書類を印刷する印刷部１６０と、を備えることを特徴とする出入国書類印刷装置１００，１０１を提供する。【選択図】図１
2012150688.tif 000002
【特許請求の範囲】
【請求項１】
出国あるいは入国を予定している国に提出すべき書類を印刷する出入国書類印刷装置であって、
パスポートおよび航空券の少なくとも一方から、前記書類に記載すべき個人情報を取得する個人情報取得部と、
前記書類の書式情報を記憶する書式情報記憶部と、
前記個人情報および前記書式情報に基づいて、前記書類における個人情報記入欄に前記個人情報が記入された印刷データを生成する印刷データ生成部と、
前記印刷データに基づいて、前記書類を印刷する印刷部と、
を備えることを特徴とする出入国書類印刷装置。
【請求項２】
前記印刷データ生成部は、前記個人情報記入欄のうち、前記個人情報取得部が取得した前記個人情報では記入できない欄が記入を促すべく強調された前記印刷データを生成することを特徴とする請求項１に記載の出入国書類印刷装置。
【請求項３】
前記書式情報記憶部は、前記書類を提出する国に対応した当該書類の両面に印刷されるべき前記書式情報を記憶し、
前記印刷データ生成部は、前記個人情報および前記書式情報に基づいて、前記書類の両面の印刷データを生成し、
前記印刷部は、前記印刷データに基づいて、前記書類を両面印刷することを特徴とする請求項１または２に記載の出入国書類印刷装置。
【請求項４】
前記書式情報記憶部は、前記書類を提出する国における少なくとも出入国カードおよび税関申告書の前記書式情報を記憶することを特徴とする請求項１から３のいずれか１項に記載の出入国書類印刷装置。
【請求項５】
前記個人情報取得部は、前記パスポートに内蔵されたＩＣチップに格納された情報を読み取るＩＣチップリーダー、および、前記航空券の磁気ストライプに格納された情報を読み取る磁気ストライプリーダーの少なくとも何れかを介して前記個人情報を取得することを特徴とする請求項１から４のいずれか１項に記載の出入国書類印刷装置。
【請求項６】
コンピューターと、通信回線を介して前記コンピューターに接続された出入国書類印刷装置とから構成され、出国あるいは入国を予定している国に提出すべき書類を印刷する出入国書類印刷システムであって、
前記コンピューターは、
パスポートおよび航空券の少なくとも一方から、前記書類に記載すべき個人情報を取得する個人情報取得部と、
前記書類の書式情報を記憶する書式情報記憶部と、
前記個人情報および前記書式情報に基づいて、前記書類における個人情報記入欄に前記個人情報が記入された印刷データを生成する印刷データ生成部と、
を備え、
前記出入国書類印刷装置は、
前記印刷データに基づいて、前記書類を印刷する印刷部、
を備えることを特徴とする出入国書類印刷システム。
【請求項７】
前記個人情報取得部は、前記パスポートに内蔵されたＩＣチップに格納された情報を読み取るＩＣチップリーダー、および、前記航空券の磁気ストライプに格納された情報を読み取る磁気ストライプリーダーの少なくとも何れかを介して前記個人情報を取得することを特徴とする請求項６に記載の出入国書類印刷システム。
【発明の詳細な説明】
【技術分野】
【０００１】
本発明は、出入国書類印刷装置および出入国書類印刷システムに関する。より詳しくは、出国あるいは入国を予定している国に提出すべき書類を印刷する出入国書類印刷装置、および、当該出入国書類印刷装置とコンピューターとで構成される出入国書類印刷システムに関する。
【背景技術】
【０００２】
自国以外の国を訪問する時に必要となる出入国カードおよび税関申告書などの書類は、各国の出入国時に記入する必要があり、世界中の国境および国際空港等で配布されている。ところで、出入国カードや税関申告書の様式は国毎に異なっているため、頻繁に海外に行き来していない旅行者は記載間違いや記入漏れ等を起こし易く、その場合、入国手続に必要以上に時間を要することになる。また、記載間違いを生じた書類が大量にゴミとして廃棄されるなど環境面からも問題である。
【０００３】
そこで、インターネットに接続する利用者端末から、各国の出入国時に必要となる書類のフォームなどが格納されたデータベースにアクセスして必要なフォームを取得し、パスポートに記載された情報などを入力することにより、必要な書類の作成が可能なシステムが提案されている（例えば特許文献１参照）。
【先行技術文献】
【特許文献】
【０００４】
【特許文献１】特開２００２−３２４１１４号公報
【発明の概要】
【発明が解決しようとする課題】
【０００５】
しかしながら、多くの場合、パスポートに記載された旅券番号や個人情報などを利用者が端末から入力する方法では、手書きの場合と同様に入力ミスが生じ得ることから、書類作成時の利用者の負担の軽減や記載間違いの防止には必ずしも繋がっていない。
【課題を解決するための手段】
【０００６】
上記課題を解決することを目的として、本発明は、一の形態として、出国あるいは入国を予定している国に提出すべき書類を印刷する出入国書類印刷装置であって、パスポートおよび航空券の少なくとも一方から、前記書類に記載すべき個人情報を取得する個人情報取得部と、前記書類の書式情報を記憶する書式情報記憶部と、前記個人情報および前記書式情報に基づいて、前記書類における個人情報記入欄に前記個人情報が記入された印刷データを生成する印刷データ生成部と、前記印刷データに基づいて、前記書類を印刷する印刷部と、を備えることを特徴とする出入国書類印刷装置を提供する。
【０００７】
このような出入国書類印刷装置によれば、利用者の入力に依らずにパスポートおよび航空券の少なくとも一方から出入国時に必要な書類に記載すべき個人情報を取得して当該書類の印刷データを生成して印刷することができるので、書類作成時の利用者の負担が軽減されるとともに、旅券番号やパスポートに記載の個人情報などを転記する際の記載間違いを防止することができる。
【０００８】
また、上記出入国書類印刷装置において、前記印刷データ生成部は、前記個人情報記入欄のうち、前記個人情報取得部が取得した前記個人情報では記入できない欄が記入を促すべく強調された前記印刷データを生成することが好ましい。
【０００９】
これにより、印刷された書類からさらに記入すべき欄を利用者が容易に見つけることができるので、記入漏れをより確実に防止することができる。
【００１０】
また、上記出入国書類印刷装置において、前記書式情報記憶部は、前記書類を提出する国に対応した当該書類の両面に印刷されるべき前記書式情報を記憶し、前記印刷データ生成部は、前記個人情報および前記書式情報に基づいて、前記書類の両面の印刷データを生成し、前記印刷部は、前記印刷データに基づいて、前記書類を両面印刷することが好ましい。
【００１１】
これにより、出入国時に必要な書類が片面印刷の書類かあるいは両面印刷の書類かを問わず、提出する国に対応した書式かつパスポートなどに記載された個人情報が入力された書類の印刷データを生成して印刷することができる。
【００１２】
また、上記出入国書類印刷装置において、前記書式情報記憶部は、前記書類を提出する国における少なくとも出入国カードおよび税関申告書の前記書式情報を記憶することが好ましい。
【００１３】
これにより、提出する国に対応した書式かつパスポートなどに記載された個人情報が入力された出入国カードおよび税関申告書を印刷することができる。
【００１４】
また、上記出入国書類印刷装置において、前記個人情報取得部は、前記パスポートに内蔵されたＩＣチップに格納された情報を読み取るＩＣチップリーダー、および前記航空券の磁気ストライプに格納された情報を読み取る磁気ストライプリーダーの少なくとも何れかを介して前記個人情報を取得することが好ましい。
【００１５】
これにより、ＩＣチップが内蔵されたパスポートや磁気ストライプ方式の航空券を所持する利用者は、旅券番号や個人情報の一部などを記入することなく、それらの情報が印刷された出入国カードなどの書類を容易に作成（印刷）することができる。
【００１６】
また、本発明は、他の形態として、コンピューターと、通信回線を介して前記コンピューターに接続された出入国書類印刷装置とから構成され、出国あるいは入国を予定している国に提出すべき書類を印刷する出入国書類印刷システムであって、前記コンピューターは、パスポートおよび航空券の少なくとも一方から、前記書類に記載すべき個人情報を取得する個人情報取得部と、前記書類の書式情報を記憶する書式情報記憶部と、前記個人情報および前記書式情報に基づいて、前記書類における個人情報記入欄に前記個人情報が記入された印刷データを生成する印刷データ生成部と、を備え、前記出入国書類印刷装置は、前記印刷データに基づいて、前記書類を印刷する印刷部、を備えることを特徴とする出入国書類印刷システムを提供する。
【００１７】
このような出入国書類印刷システムによれば、利用者の入力に依らずにパスポートおよび航空券の少なくとも一方から出入国時に必要な書類に記載すべき個人情報を取得して当該書類の印刷データを生成して印刷することができるので、書類作成時の利用者の負担が軽減されるとともに、旅券番号やパスポートに記載の個人情報などを転記する際の記載間違いを防止することができる。
【００１８】
また、上記出入国書類印刷システムにおいて、前記個人情報取得部は、前記パスポートに内蔵されたＩＣチップに格納された情報を読み取るＩＣチップリーダー、および前記航空券の磁気ストライプに格納された情報を読み取る磁気ストライプリーダーの少なくとも何れかを介して前記個人情報を取得することが好ましい。
【図面の簡単な説明】
【００１９】
【図１】本発明の一実施形態に係る出入国書類印刷システム１０の外観斜視図である。
【図２】出入国書類印刷システム１０の機能ブロック図である。
【図３】表示部１５０に表示されるメニュー画面の一例である。
【図４】プリンター１００で印刷された入国カードの一例を示す。
【図５】本発明の実施形態の他の例に係る出入国書類印刷システム１１の外観斜視図である。
【図６】出入国書類印刷システム１１の機能ブロック図である。
【発明を実施するための形態】
【００２０】
以下、添付図面に基づいて本発明の一実施形態について説明するが、以下の実施形態は特許請求の範囲に係る発明を限定するものではなく、また、実施形態における特徴の組み合わせの全てが発明の解決手段に必須であるとは限らない。
【００２１】
図１は、本発明の一実施形態に係る出入国書類印刷システム１０の外観斜視図であり、図２はその機能ブロック図である。本実施形態に係る出入国書類印刷システム１０は、プリンター１００と、ＩＣチップリーダー２１０と、磁気ストライプリーダー２２０とで構成され、ＩＣチップリーダー２１０および磁気ストライプリーダー２２０は、それぞれプリンター１００に接続されている。プリンター１００は、本発明における出入国書類印刷装置の一例であり、個人情報取得部１１０、記憶部１２０、処理部１３０、入力部１４０、表示部１５０、印刷部１６０、排紙口１７０、および用紙補充用開閉扉１８０を有する。
【００２２】
ＩＣチップリーダー２１０は、ＩＣチップが内蔵されたパスポートを上面にかざすことで、当該ＩＣチップに格納された情報を読み取ることのできる非接触方式の読取端末である。そして、ＩＣチップリーダー２１０は、読み取った情報をプリンター１００へと出力する。なお、ＩＣチップリーダー２１０に替えて、パスポートの旅券番号や所有者の個人情報が記載された面を光学的に読み取ることのできるスキャナータイプの読取装置であってもよい。
【００２３】
磁気ストライプリーダー２２０は、例えば航空券などの磁気ストライプが付された用紙における当該磁気ストライプ部分を装置中央の磁気ヘッドが配されたスライド溝に挿入してスライドさせることで、当該磁気ストライプに格納された情報を読み取ることのできる読取端末である。そして、磁気ストライプリーダー２２０は、読み取った情報をプリンター１００へと出力する。
【００２４】
個人情報取得部１１０は、ＩＣチップリーダー２１０および磁気ストライプリーダー２２０で読み取られてこれらの装置から入力される情報から、出国あるいは入国を予定している国に提出すべき書類（以下、「出入国書類」と略称する）に印刷するための個人情報を取得する。より具体的には、個人情報取得部１１０は、ＩＣチップリーダー２１０が利用者のパスポートに内蔵されたＩＣから読み取った情報から、当該利用者の旅券番号、発行日、氏名、性別、年齢、および生年月日を取得して処理部１３０へと出力する。また、個人情報取得部１１０は、磁気ストライプリーダー２２０が利用者の航空券の磁気ストライプから読み取った情報から、例えば当該利用者が搭乗していた航空機の会社名および便名などを取得して処理部１３０へと出力する。
【００２５】
記憶部１２０は、本発明における書式情報記憶部として機能し、出入国書類の書式情報（フォーマット）を記憶する。より具体的には、記憶部１２０は、例えば出入国書類印刷システム１０が空港の国際線到着ターミナルの入国審査が行われる審査所の手前に配置されている場合は、少なくとも入国カードおよび税関申告書のフォーマットを記憶する。なお、本例では、記憶部１２０は、上記の各出入国書類について両面印刷に対応した書式情報、すなわち、表面および裏面の両面のフォーマットを記憶する。
【００２６】
また、記憶部１２０は、上記各出入国書類のフォーマット以外にも、表示部１５０に表示させる表示画面を生成するためのデータや、印刷部１６０を制御するための各種の制御プログラムなどを記憶する。また、記憶部１２０は、個人情報取得部１１０が取得した個人情報に基づいて印刷部１６０によって上記出入国書類を印刷した後に、印刷履歴として例えば時系列で上記個人情報を記憶してもよい。
【００２７】
処理部１３０は、本発明における印刷データ生成部として機能し、個人情報取得部１１０からの個人情報および記憶部１２０からの書式情報に基づいて、上記の各出入国書類における個人情報記入欄に上記個人情報が記入された印刷データを生成する。より具体的には、処理部１３０は、例えばパスポートのＩＣチップに格納された情報をＩＣチップリーダー２１０で読み取らせることにより個人情報取得部１１０から上記個人情報が入力されたことに応じて、表示部１５０で表示させるべき表示画面を生成するためのデータを記憶部１２０から取得し、当該表示画面の画像データを生成して表示部１５０へと出力する。
【００２８】
そして、処理部１３０は、後述のように入力部１４０を介して利用者が選択した出入国書類のフォーマットを記憶部１２０から取得し、当該フォーマットにおける個人情報記入欄に上記個人情報が記入された印刷データを生成する。また、処理部１３０は、利用者が選択した出入国書類のフォーマットにおける各記入欄のうち、上記個人情報では記入できない欄については、記入を促すべく強調された印刷データを生成する。
【００２９】
入力部１４０は、プリンター１００の本体上面に配された複数のプッシュボタン（本例では１〜４の番号が付された４つのプッシュボタン）で構成される。これらのプッシュボタンの何れかが押下されると、処理部１３０には、押下されたプッシュボタンの番号を示す信号が出力される。表示部１５０は、ＬＣＤなどの表示装置であって、処理部１３０から入力される画像データに応じた表示画面を表示する。
【００３０】
印刷部１６０は、処理部１３０において生成された印刷データに基づいて、上記の各出入国書類を印刷する。より具体的には、本例の印刷部１６０は、上記出入国書類として印刷される用紙がストックされている用紙ストッカーと、キャリッジ、プリントヘッド、およびインクタンクなどで構成され、上記用紙に対して処理部１３０からの印刷データに基づいて上記出入国書類のフォーマットを印刷する印刷実行部と、給紙ローラーおよびペーパーセンサーなどで構成され、用紙ストッカーから上記用紙を１枚ずつ印刷実行部へと供給する給紙部と、排紙ローラーおよびペーパーセンサーなどで構成され、印刷された上記出入国書類を本体前面に設けられた排紙口１７０へと排紙する排紙部とを有する。なお、本例では、本体前面の用紙補充用開閉扉１８０を開いて上記用紙ストッカーを本体前方へ引き出すことで用紙を補充することができる。なお、印刷部１６０は、上記出入国書類の両面に印刷できる構成となっている。
【００３１】
図３は、表示部１５０に表示されるメニュー画面の一例である。例えば出入国書類印刷システム１０が空港の国際線到着ターミナルの入国審査が行われる審査所の手前に配置されている場合であって、入国時に必要な書類が入国カードおよび税関申告書の一方または両方である場合は、パスポートのＩＣチップに格納された情報をＩＣチップリーダー２１０で読み取らせるか、あるいは、航空券の磁気ストライプ部分を磁気ストライプリーダー２２０にて読み取らせると、図３に示すように、利用者に必要とする入国書類の選択を促すメニュー画面が表示される。
【００３２】
ここで、利用者が、図３に示すメニュー画面に表示された複数の選択肢の中から該当する選択肢の番号（１〜３）のプッシュボタンを押すと、プリンター１００においてその番号に該当する入国書類が印刷されて排紙口１７０から排紙される。なお、図３に示す画面が表示されている状態で利用者がプッシュボタン「４」を押すと、処理部１３０は、入力された個人情報を消去し、次に個人情報が入力されるのを待つ待機状態となる。
【００３３】
図４は、プリンター１００で印刷された入国カードの一例を示す。図４に示すように、利用者がＩＣチップリーダー２１０で自身のパスポートのＩＣチップに格納された個人情報を読み込ませてからプリンター１００で印刷した入国カードには、当該利用者の旅券番号、氏名、性別、および生年月日が既に記入（印刷）されている。そして、パスポートのＩＣチップに格納された個人情報では記入できない欄については、利用者に記入を促すために太枠が印刷されて強調されている。したがって、利用者は、印刷された入国カードに更に記入すべき欄を容易に見つけることができるので、利用者による記入漏れが生じにくい。
【００３４】
なお、利用者がＩＣチップリーダー２１０で自身のパスポートのＩＣチップに格納された個人情報のみを読み込ませて入国カードを印刷した場合について図４を参照して例示したが、例えば、利用者がさらに、航空券の磁気ストライプに記憶された情報を磁気ストライプリーダー２２０に読み取らせた場合には、入国カードにおける「航空会社および便名」および「搭乗地」の欄には、利用者の航空会社および便名と搭乗地がそれぞれ印刷される。
【００３５】
したがって、本例の出入国書類印刷システム１０によれば、利用者は、パスポートと航空券の両方を読み込ませることで、大半の情報が既に印刷されているとともに、残りの記入すべき欄についても強調表示された入国カードを印刷することができる。なお、本例の出入国書類印刷システム１０では、入国カードだけでなく、税関申告書についても同様に、利用者がパスポートや航空券から個人情報や搭乗便に関する情報を読み込ませることによって、所定の欄に個人情報などが印刷され、残りの記入すべき欄についても強調表示されたものを作成することができる。
【００３６】
また、出入国書類印刷システム１０が空港の国際線出発ターミナルの出国審査が行われる審査所の手前に配置されている場合には、利用者は、パスポートや航空券から個人情報や搭乗便に関する情報を読み込ませることによって、所定の欄に個人情報などが印刷され、残りの記入すべき欄についても強調表示された出国カードを作成することができる。
【００３７】
以上のように、本実施形態に係る出入国書類印刷システム１０によれば、利用者の入力に依らずにパスポートおよび航空券の少なくとも一方から出入国時に必要な書類に記載すべき個人情報を取得して当該書類の印刷データを生成して印刷することができるので、書類作成時の利用者の負担が軽減されるとともに、旅券番号やパスポートに記載の個人情報などを転記する際の記載間違いを防止することができる。
【００３８】
図５は、本発明の実施形態の他の例に係る出入国書類印刷システム１１の外観斜視図であり、図６はその機能ブロック図である。本例の出入国書類印刷システム１１は、図５および図６に示すように、プリンター１０１と、ＩＣチップリーダー２１０と、磁気ストライプリーダー２２０と、コンピューター３００とで構成され、プリンター１０１、ＩＣチップリーダー２１０、および磁気ストライプリーダー２２０は、何れもコンピューター３００に接続されている。
【００３９】
本例では、上記出入国書類印刷システム１０のプリンター１００が有する個人情報取得部１１０、記憶部１２０、処理部１３０、入力部１４０、および表示部１５０に対応する機能を有する構成して、コンピューター３００が、個人情報取得部３１０、記憶部３２０、処理部３３０、入力部３４０、および表示部３５０を有する（これら各構成の機能についてはプリンター１００の各構成と略同様であるので必要に応じてその説明を省略する）。そして、プリンター１０１は、印刷部１６０のみを有する。すなわち、本例では、プリンター１０１には印刷機能のみを担わせるとともに、ＩＣチップリーダー２１０および磁気ストライプリーダー２２０を介して読み込ませた個人情報などのデータの処理および当該個人情報を反映させた印刷データの生成はコンピューター３００で行う構成となっている。
【００４０】
また、本例の出入国書類印刷システム１１は、コンピューター３００が、入力部３４０としてマウスおよびキーボードを備えているので、例えば、パスポートや航空券から取得した情報が記入され、残りの欄が強調表示された書類の印刷データを表示部３５０に表示させることにより、利用者は、残りの欄のうち記入できるものについては入力部３４０のマウスおよびキーボードを用いて入力することができる。
【００４１】
したがって、印刷してから上記残りの欄を記入する場合と比べて、何度も表示部３５０の画面上で修正できるので、書き損じた書類が発生するのを防ぐことができる。
を見ながら、
【００４２】
以上、本発明をその実施形態を用いて説明したが、本発明の技術的範囲は上記実施形態に記載の範囲には限定されない。上記実施形態に多様な変更または改良を加えることができることは、当業者にとって明らかである。
【符号の説明】
【００４３】
１０，１１…出入国書類印刷システム、１００，１０１…プリンター（出入国書類印刷装置）、１１０…個人情報取得部、１２０…記憶部（書式情報記憶部）、１３０…処理部（印刷データ生成部）、１４０…入力部、１５０…表示部、１６０…印刷部、１７０…排紙口、１８０…用紙補充用開閉扉、２１０…ＩＣチップリーダー、２２０…磁気ストライプリーダー、３００…コンピューター、３１０…個人情報取得部、３２０…記憶部（書式情報記憶部）、３３０…処理部（印刷データ生成部）、３４０…入力部、３５０…表示部
【図１】
2012150688.tif 000003
【図２】
2012150688.tif 000004
【図３】
2012150688.tif 000005
【図４】
2012150688.tif 000006
【図５】
2012150688.tif 000007
【図６】
2012150688.tif 000008